(57)【特許請求の範囲】
【請求項１】
コンクリートとの接合固定が優れており短繊維よりなり片面に縦補強糸と横補強糸とを有するシート体の短繊維がコンクリートに埋め込まれてコンクリートブロックに縦補強糸と反対側の面が接合固定されるシート体であって、該シート体が、短繊維同士が絡まっている不織布よりなり、該不織布の片面に縦補強糸と横補強糸とが固定されており、縦補強糸がループ糸により固定されており、該ループ糸は、縦補強糸に沿ってその周囲を巻回しながら不織布に編み込まれており、不織布を構成する短繊維が、縦補強糸とループ糸との間に挟まれていることを特徴とするシート体。
【発明の詳細な説明】
【技術分野】
【０００１】
本発明は、コンクリートとの接合固定性（添着性）が優れたシート体に関し、更に詳しくは、補強糸がループ糸により固定されており、コンクリートとの接合固定性（添着性）が優れたシート体に関する。
【背景技術】
【０００２】
現在、コンクリートとの接合固定性（添着性）を強化した成形品が開発されている。
例えば、セメントペーストを不織布に浸透させながら、固化させる接合技術（特許文献１）があるが、これは不織布が固まる前のコンクリートを保持する作用を利用したものである。
【０００３】
また、コンクリートに対する高い接合性を有する繊維シートであって第１繊維シート（編地又は織地）と該第１繊維シートに添着した第２繊維シート（不織布１）とよりなり、第２繊維シートの繊維が第１繊維シートを突き抜けて第１繊維シートの表面から外方に突出している繊維シート（特許文献２）がある。
【０００４】
これは突出した部分がコンクリートに埋め込まれるので、大きな引き抜き抵抗力が生じる利点がある。
更にまた、シートである織布の表面から固定用の多数のループを突出させ、コンクリートに埋め込ませ、接合強度を上げる技術がある（特許文献３）。
【０００５】
上述した各技術は、例えば、護岸工事等のコンクリートブロックマットにおけるブロックとマットとの接合固定に使用されている。
コンクリートブロックマットは、現場で施工する際に、クレーン等で吊り上げて使用することからブロックがその重みでマットから剥離することがある。
このようにブロックが落下する危険は是非とも回避しなければならない。
【０００６】
上述した技術は、単に、シートにコンクリートに埋め込まれるための突出した部分を設ける工夫をしたものであり、突出した部分の数も限定されることから接合固定強度という観点から考えると必ずしも十分なものではなかった。
【先行技術文献】
【特許文献】
【０００７】
【特許文献１】特開平６―３３９９１０号公報
【特許文献２】特開２０１１−２６７５９号公報
【特許文献３】特開昭５７−８１５１０号公報
【発明の概要】
【発明が解決しようとする課題】
【０００８】
本発明は、かかる従来の背景技術をもとになされたもので、従来の問題点を克服するためになされたものである。
すなわち、本発明は、コンクリートとの接合固定性（添着性）が優れたシート体を提供するものである。
【課題を解決するための手段】
【０００９】
かくして、本発明者は、このような課題背景に対して鋭意研究を重ねた結果、シート体に補強糸を加え、更にこれをループ糸を使って取り付けることで、シート体の組織の一部が、補強糸とループ糸との間に挟まれることにより引き抜き抵抗力が増大する点を見出し、この知見に基づいて本発明を完成させたものである。
【００１０】
即ち、本発明は、（１）コンクリートとの接合固定が優れており短繊維よりなり片面に縦補強糸２Ｙと横補強糸２Ｘとを有するシート体Ａの短繊維１Ａがコンクリートに埋め込まれてコンクリートブロックＢに縦補強糸２Ｙと反対側の面が接合固定されるシート体Ａであって、該シート体Ａが、短繊維１Ａ同士が絡まっている不織布１よりなり、該不織布１の片面に縦補強糸２Ｙと横補強糸２Ｘとが固定されており、縦補強糸２Ｙがループ糸３により固定されており、該ループ糸３は、縦補強糸２Ｙに沿ってその周囲を巻回しながら不織布１に編み込まれており、不織布１を構成する短繊維１Ａが、縦補強糸２Ｙとループ糸３との間に挟まれているシート体Ａに存する。
【発明の効果】
【００１６】
１）本発明のシート体Ａは、不織布１よりなり、該不織布１に補強糸２がループ糸３により固定されているので、シート体Ａである不織布１を構成する短繊維１Ａが補強糸２とループ糸３との間に挟まれた状態にある。
そのため不織布１自体の強度が向上すると共に不織布１を構成する短繊維１Ａが引き抜き抵抗力を発揮し、コンクリートに埋め込まれた状態においても優れた接合固定性（添着性）が得られることとなる。
【００１７】
２）ループ糸３が補強糸２に沿ってその周囲を巻回しながら不織布１に編み込まれていることにより、補強糸２が不織布１に強固に取り付けられる。
また不織布１の繊維が補強糸２の周囲に絡まり易く接合固定（添着性）がより高まる。
【００１８】
３）補強糸２が縦補強糸２Ｙと横補強糸２Ｘよりなることにより、縦方向及び横方向の不織布１の強度が高まる。
【００１９】
４）縦補強糸２Ｙと横補強糸２Ｘの交差部Ｋがループ糸３により結合されていることにより、縦補強糸２Ｙと横補強糸２Ｘの配置状態が安定し、また不織布１の短繊維１Ａが交差部Ｋに絡まることで、接合固定の効果がより向上する。
【００２０】
５）シート体ＡがコンクリートブロックＢに接合固定されることにより、コンクリートブロックシートとして土木用に使用される。
【図面の簡単な説明】
【００２１】
【図１】図１は、本発明のシート体の表側を概略的に示した斜視図である。
【図２】図２は、本発明のシート体の裏側を概略的に示した斜視図である。
【図３】図３は、本発明のシート体の表側の一部を拡大して模式的に示した平面図である。
【図４】図４は、本発明のシート体の裏側の一部を拡大して模式的に示した平面図である。
【図５】図５は、本発明のシート体の断面の一部を拡大して模式的に示した図である。
【図６】図６は、経編機の編成部を概略的に示した図である。
【図７】図７は、本発明のシート体Ａをコンクリートブロックシートに適応した例を概略的に示す図である。
【図８】図８は、コンクリートブロックとシート体との接合構造を拡大して模式的に示した図であり、（Ａ）は、シート体を引っ張る前、（Ｂ）は、シート体を引っ張った後の状態を示す。
【図９】図９は、コンクリートブロックシートの表側の状態を示した拡大写真（３倍）である。
【図１０】図１０は、図１のコンクリートブロックシートにおいて、コンクリートブロックとシート体を無理に剥離させた表側の状態を示した拡大図写真（３倍）である。
【図１１】図１１は、剥離実験におけるコンクリートブロックとシート体との剥離後の状態の一例を示す拡大図写真である。
【発明を実施するための形態】
【００２２】
以下、本発明を実施するための実施形態を図面に基づいて説明する。
図１は、本発明のシート体Ａの表側を概略的に示した斜視図であり、図２は、本発明のシート体Ａの裏側を概略的に示した斜視図である。
このようなシート体Ａはコンクリートとの接合固定性（添着性）が極めて優れたものと
なっている。
【００２３】
図３は、本発明のシート体Ａの表側の一部を拡大して模式的に示した平面図であり、また図４は、本発明のシート体Ａの裏側の一部を拡大して模式的に示した平面図である。
【００２４】
シート体Ａは、基体が不織布１よりなるもので、この不織布１に沿って補強糸２が設けられている。
この補強糸２は、不織布１の片面(裏側の面)に沿ってのみ設けられており、縦補強糸２Ｙと横補強糸２Ｘとよりなる。
【００２５】
補強糸２は不織布１を補強するものであることから、フィラメント糸やマルチフィラメント糸が採用されることが好ましい。
図で示すように、縦補強糸２Ｙと横補強糸２Ｘとの交差部Ｋとの交差角度は９０度である。
ループ糸３はこれらの補強糸２を不織布１の表面に取り付けるためのもので、具体的には補強糸２の周囲を巻回しながら不織布１に編み込まれている。
【００２６】
図５は、本発明のシート体Ａの断面の一部を拡大して模式的に示した図である。
ここで不織布１は多くの短繊維１Ａ(図８の短繊維１Ａ参照)が絡み合ってできているが、この短繊維１Ａは補強糸２とループ糸３の間に挟まれている（把持作用）。
これは、経編機を使って補強糸２をループ糸３により不織布１に編み込む際、短繊維１Ａが絡まることを利用したものである。
この把持作用によりコンクリートに対するシート体の引き抜き抵抗力が発揮されることとなるのである。
【００２７】
図６は、経編機の編成部を概略的に示した図である。
縦補強糸２Ｙがループ糸３により巻回されて不織布１に編み込まれていることが理解できる。
このようにループ糸３が巻回されることで不織布１の短繊維１Ａはループ糸３と縦補強糸２Ｙとの間に挟み込まれる。
ここで縦補強糸２Ｙと横補強糸２Ｘとの交差部においては、縦補強糸２Ｙと横補強糸２Ｘとがループ糸３により連結されているので、縦補強糸２Ｙと横補強糸２Ｘとが相互に離脱することはなく配置状態が安定する。
【００２８】
本発明のシート体Ａは、以上のような構造を備えており、不織布１自体が補強糸２（２Ｘ、２Ｙ）によって縦及び横方向の引っ張り強度が増大し、また不織布１を構成する短繊維１Ａがループ糸３と補強糸２の間で強く挟み込まれるので、その挟み込まれた短繊維１Ａは相応の引き抜き抵抗力を発揮する。
これらのシート体Ａの特性を利用することにより他の部材と組み合わせた種々の製品が可能となる。
その一つとして、コンクリートブロックシートに適用する例がある。
このコンクリートブロックシートは、コンクリートブロックＢの底面にシート体Ａを接合固定してなるものである。
【００２９】
図７は、本発明のシート体Ａをコンクリートブロックシートに適応した例を概略的に示す図である。
不織布１よりなるシート体Ａは、補強糸２がループ糸３により固定されており、このループ糸３は、補強糸２の周囲を巻回しながら不織布１に編み込まれている。
【００３０】
図８は、コンクリートブロックとシート体Ａとの接合構造を拡大して模式的に示した図であり、図８（Ａ）は、シート体を引っ張る前、図８（Ｂ）は、シート体を引っ張った後の状態を示す。
便宜的に短繊維１Ａの一本のみを破線で示した。
不織布１を構成する短繊維１ＡはコンクリートブロックＢの中に埋まった状態にあり、コンクリートとの接合強度を担っている。
そのため短繊維１Ａが引き抜きにくい程、接合強度も大きくなる。
短繊維１Ａは同じ不織布１を構成する短繊維１Ａにも絡まっているが、更に一部はループ糸３と補強糸２（２Ｙ）の間で強く挟み込まれているので、その挟み込まれた短繊維１Ａは引き抜き抵抗力を更に発揮する。
【００３１】
このように、不織布１を構成する短繊維１Ａの一部がループ糸３と補強糸２の間で強く挟み込まれているので、コンクリートブロックＢと共に引き抜かれようとしても抵抗力を発揮し接合強度が高まるのである。
【００３２】
図９は、コンクリートブロックシートの表側の状態を示した拡大写真（３倍）である。
この場合のコンクリートブロックシートのシート体Ａは、ループ糸３が縦補強糸２Ｙに沿って巻回されているが、横補強糸２Ｘに沿っては巻回されていない例である。
なお、ここでは各補強糸及び不織布１の材質はポリエステルが採用されている。
【００３３】
図１０は、図１のコンクリートブロックシートにおいて、コンクリートブロックとシート体Ａを無理に剥離させた表側の状態を示した拡大図（３倍）である。
縦補強糸２Ｙとループ糸３に挟まれた不織布１の短繊維１Ａは、縦補強糸２Ｙに沿って短繊維１Ａが残っているのが視認される。
これは、先述した把持作用によるものである。
【００３４】
参考までに、剥離実験におけるコンクリートブロックＢとシート体Ａとの剥離後の状態の一例を図１１に示す拡大図写真。
【００３５】
一方、横補強糸２Ｘには、ループ糸３がないので、短繊維１Ａは殆ど残っていない。
以上説明したコンクリートブロックシートを製造するには、用意した型枠に生コンを投入する生コン投入工程と、型枠に投入した生コンの表面を水平に均す均し工程と、型枠に投入した生コンの上に上述したシート体Ａを敷くシート敷設工程と、型枠に投入した生コンを養生させる養生工程とを経ることにより製造される。
【００３６】
その際、型枠に打設された生コンの上に載置されたシート体Ａの上に、例えば立体構造を有する通風性構造体を置き、その通風性構造体の上に荷重部材を載置し、その状態で生コンを養生させることが効率の上で適している。
すなわち生コンの養生が完了するまでの間、シート体Ａは生コンに常に圧着した状態で維持されるため、強固にコンクリートブロックと結合される。
【００３７】
以上、本発明を説明してきたが、本発明は上述した一実施形態にのみ限定されるものではなく、その本質を逸脱しない範囲で、他の種々の変形が可能であることはいうまでもない。
【００３８】
例えば、上述したシート体Ａを構成する不織布１は、ニードルパンチされて短繊維１Ａ同士が絡まっているような形態の不織布１であれば種々のものが採用できる。
また、ループ糸３はフィラメント糸の他、紡績糸も採用可能である。
また補強糸は不織布１を補強するものであることから、モノフィラメント糸やマルチフィラメント糸以外のものも採用可能である。
【産業上の利用可能性】
【００３９】
本発明のシート体は、不織布に補強糸がループ糸により固定されていることを特徴とするもので、不織布を構成する短繊維は引き抜き抵抗性が大きいので、コンクリートとの接合固定（添着性）が優れている。
そのためコンクリートブロックシートの他にもコンクリートとの接合面を有するものであれば適用可能であり、その用途範囲は広い。
【符号の説明】
【００４０】
１・・・不織布
１Ａ・・・短繊維
２・・・補強糸
１Ａ・・・知繊維
２Ｙ・・・縦補強糸
２Ｘ・・・横補強糸
３・・・ループ糸
Ａ・・・シート体
Ｂ・・・コンクリートブロック
Ｋ・・・交差部
【図１】
0006663637.tif 000002
【図２】
0006663637.tif 000003
【図３】
0006663637.tif 000004
【図４】
0006663637.tif 000005
【図５】
0006663637.tif 000006
【図６】
0006663637.tif 000007
【図７】
0006663637.tif 000008
【図８】
0006663637.tif 000009
【図９】
0006663637.tif 000010
【図１０】
0006663637.tif 000011
【図１１】
0006663637.tif 000012